(57)【特許請求の範囲】
【請求項１】
遊技機内に設けられハーネスにより接続された制御基板により遊技に係る各種の制御が実行される遊技機において、
前記制御基板は、
絶縁基板と、
前記絶縁基板に実装され、前記ハーネスを介して他の基板と電気的に接続するための２列配置の複数の端子を有するコネクタと、
前記絶縁基板に全部または一部が形成され、前記コネクタの複数の端子中の電源端子に接続された電源パターンと、
前記絶縁基板に前記電源パターンを囲むように形成され、前記コネクタの複数の端子中のグラウンド端子に接続されたグラウンドパターンと、
前記電源パターンおよび前記グラウンドパターンを介して電源が供給される電子部品と、を備え、
前記ハーネスは、その配線中に同じ電源を供給する複数本の配線を含み、
前記コネクタの前記２列配置の端子は、その列方向に相隣る少なくとも２つが前記ハーネスの同じ電源を供給する複数本の配線に１対１の関係で接続される同一電源用の電源端子とされ、これらの電源端子から引き出されて前記電子部品の少なくとも１個に至るまでの前記電源パターンの幅が、前記端子の２個分以上の幅に形成されており、
前記コネクタの２列配置の端子は、その少なくとも一方の列中に列方向に相隣るように、前記列方向に相隣る複数の同一電源用の電源端子からなる同一電源用の電源端子の組を少なくとも２組含み、この同一電源用の電源端子の組の全体に対して、その列方向の両外側にグラウンド端子を備え、このグラウンド端子から前記グラウンドパターンが引き出されている、ことを特徴とする遊技機。
【発明の詳細な説明】
【技術分野】
【０００１】
本発明は、弾球遊技機や回胴式遊技機などの遊技機に係り、詳しくは複数の端子を２列に配置したコネクタが実装されている制御基板を有する遊技機に関するものである。
【背景技術】
【０００２】
従来、パチンコ機などの遊技機においては、その遊技機内に遊技に係る各種の制御を実行する制御基板が設けられる。この制御基板はプリント配線基板からなり、その絶縁基板の片面に種々の電子部品とコネクタを実装し、他の片面に、上記コネクタの端子から電子部品に至る電源供給用の配線パターン（電源パターン）を形成するとともに、その周囲にグラウンド用の配線パターン（グラウンドパターン）を形成し、これによりコネクタから電源パターンおよびグラウンドパターンを介して電子部品に電源が供給される構成になっている。
【０００３】
パチンコ機などの遊技機では、たとえば遊技球の流路における遊技球同士の衝突や、遊技球流路を形成する部材と遊技球との摩擦などにより頻繁に静電気が生じる。このため、静電気を完全に機外に除去することは困難であり、機内に残留した静電気が放電し制御基板に対するノイズ（静電気ノイズ）として作用する可能性がある。また、遊技機は、一般に、遊技場において他の遊技機やゲーム機などと隣接して設置され、また携帯電話や電子ライターなどが遊技者により使用されることがある。したがって、隣接する他の遊技機や使用者が所有する電気機器からの電磁波が制御基板に対しノイズ（外部ノイズ）として作用する可能性もある。
【０００４】
そこで、この対策として、制御基板の表側と裏側にそれぞれ電源ラインまたはグランドラインを設け、この表側と裏側の両電源ラインを互いに交差する方向に形成するか、表側と裏側の両グランドラインを互いに交差する方向に形成することにより、上記ノイズの影響を受けにくい構造とすることが提案されている（下記特許文献１参照）。
【０００５】
また、遊技機用の制御基板ではないが、一般的なプリント回路基板の構造において、電源が供給されるコネクタをその基板の消費電流が一番大きいＬＳＩの近傍に配置し、電源コネクタから一番消費電流の大きいＬＳＩの実装エリアまでの電源パターンを一番太く、それ以外のＬＳＩを含むＩＣまでの電源パターンを電流量に応じて電源パターンの太さを順次細くして、消費電流の一番大きいＬＳＩと信号を送受信するＬＳＩを含むＩＣに供給される同一電位の電源電圧を、回路基板内でほぼ等しくなるように電源パターンを形成することが提案されている（下記特許文献２参照）。
【０００６】
これらの対策によれば、制御基板の電子部品に与えるノイズを有効に減少させることが可能であるとされる。
【先行技術文献】
【特許文献】
【０００７】
【特許文献１】特開２００４−３０５７７７号公報
【特許文献２】特開２００２−３７４０４８号公報
【発明の概要】
【発明が解決しようとする課題】
【０００８】
しかしながら、パチンコ機などの遊技機における制御基板はハーネスと称される配線部材を介して他の基板と電気的に接続される。ハーネスは電気部品を電気的に接続する配線部材であり、シールド被覆が施されていない多数本の配線（たとえば１８本）からなる配線束と、その両端に取り付けたコネクタ（接続用コネクタと称する）とで構成され、その接続用コネクタの一方は制御基板に設けた上記コネクタ（被接続用コネクタと称する）と電気的に接続される。このハーネスのシールド被覆が施されていない配線部が、制御基板と他の基板を接続するために、静電ノイズおよび外部ノイズとなる電磁波の飛び交う遊技機内を引き回されることになる。このため、ハーネスを介してノイズが制御基板内に持ち来される可能性がある。
【０００９】
遊技機においては、ハーネスの使用環境として、ハーネスの周辺からノイズ発生源を完全になくすことは困難であり、ハーネスにシールド被覆などを施すことも有効な対策となり得るが、経済的な見地から、できるだけノイズの影響を受ける制御基板側でノイズ対策を講じることが望まれる。しかし、このような観点に立ったノイズ対策については、従来は何ら提案されていなかった。
【００１０】
そこで、本発明の目的は、制御基板におけるコネクタと配線パターンを工夫してノイズの影響を受けにくい構造の遊技機を提供することにある。
【課題を解決するための手段】
【００１１】
本発明の上記目的は、下記の手段によって達成される。なお括弧内は実施形態における対応要素を示すが、本発明はこれに限定されるものではない。
【００１２】
（１）遊技機内に設けられハーネスにより接続された制御基板（２７）により遊技に係る各種の制御が実行される遊技機において、
前記制御基板は、
絶縁基板（５０）と、
前記絶縁基板の片面上に実装され、前記ハーネスを介して他の基板と電気的に接続するための２列配置の複数の端子（６１）を有するコネクタ（６０）と、
前記絶縁基板の他方の片面上に全部または一部が形成され、前記コネクタの複数の端子中の電源端子に接続された電源パターン（５１、５３、５４）と、
前記絶縁基板の前記他方の片面上に前記電源パターンを囲むように形成され、前記コネクタの複数の端子中のグラウンド端子に接続されたグラウンドパターン（５６）と、
前記電源パターンおよび前記グラウンドパターンを介して電源が供給される電子部品（７１〜７３）と、を備え、
前記ハーネスは、その配線中に同じ電源を供給する複数本の配線を含み、
前記コネクタの前記２列配置の端子は、その列方向に相隣る少なくとも２つが前記ハーネスの同じ電源を供給する複数本の配線に１対１の関係で接続される同一電源用の電源端子とされ、これらの電源端子から引き出されて前記電子部品の少なくとも１個に至るまでの前記電源パターンの幅（Ｗ）が、前記端子の２個分以上の幅に形成されている、ことを特徴とする遊技機。
【００１３】
（２）前記コネクタの２列配置の端子は、その列方向に相隣る少なくとも２つが前記同一電源用の電源端子とされ、これらの同一電源用の電源端子から個別に引き出されて合流された後に前記電子部品の少なくとも１個に至るまでの前記電源パターンの幅が、前記端子２個分以上の幅に形成されている、ことを特徴とする上記（１）に記載の遊技機。
【００１４】
（３）前記コネクタの２列配置の端子は、その列方向に相隣る少なくとも２つが前記同一電源用の電源端子とされ、これらの同一電源用の電源端子から共通に引き出されて前記電子部品の少なくとも１個に至るまでの前記電源パターンの幅が、前記端子２個分以上の幅に形成されている、ことを特徴とする上記（１）に記載の遊技機。
【００１５】
（４）前記コネクタの２列配置の端子は、その列方向に相隣る複数の同一電源用の電源端子からなる同一電源用の電源端子の組を同じ列中に少なくとも２組含み、その同一電源用の電源端子の組同士の間にグラウンド端子を備え、このグラウンド端子から前記グラウンドパターンが引き出されている、ことを特徴とする上記（１）に記載の遊技機。
【００１６】
（５）前記コネクタの２列配置の端子は、その一方の列中に、列方向に相隣る複数の同一電源用の電源端子からなる同一電源用の電源端子の組を少なくとも２組含み、その同一電源用の電源端子の組同士の間にグラウンド端子を備え、また他方の列中にグラウンド端子を備え、前記一方の列中の前記同一電源用の電源端子の組同士間のグラウンド端子と前記他方の列中のグラウンド端子とから、これらに共通に前記グラウンドパターンが引き出されている、ことを特徴とする上記（４）に記載の遊技機。
【００１７】
（６）前記コネクタの２列配置の端子はその列方向に信号端子（図５の４番の端子）を含み、この信号端子から引き出されて前記電子部品の少なくとも１個に至るまでの信号線パターン（５５）の幅が前記電源パターンよりも狭い幅に形成され、前記信号線パターンの引出部を除き前記信号端子の周囲がグラウンド用の導電体（端子番号１〜３と６）または前記グラウンドパターン（５６ｂ）で囲まれている、ことを特徴とする上記（１）〜（５）のいずれかに記載の遊技機。
【発明の効果】
【００１８】
本発明によれば、制御基板におけるコネクタと配線パターンを工夫してノイズの影響を受けにくい構造の遊技機を提供することができる。
【図面の簡単な説明】
【００１９】
【図１】本発明に係る弾球遊技機の外観を示す正面側の斜視図である。
【図２】本発明に係る弾球遊技機の裏面側を示す斜視図である。
【図３】本発明に係る弾球遊技機の遊技盤の正面側を示す図である。
【図４】本発明に係る制御基板の裏面側を示す図である。
【図５】図４の制御基板の一部を拡大して示した図である。
【図６】本発明に係る制御基板の電源パターンの形状寸法の説明に供する図である。
【図７】本発明に係る制御基板のインターフェース回路の一部を示した図である。
【図８】本発明に係る制御基板の電源パターンに採用しうる形状の種類を例示した図である。
【図９】本発明に係る制御基板のグラウンドパターンに採用しうる形状を例示した図である。
【図１０】本発明に係る制御基板の電源パターンの幅Ｗに関する変形例を示した図でである。
【図１１】本発明に係る制御基板の電源パターンの幅Ｗに関する他の変形例を示した図である。
【発明を実施するための形態】
【００２０】
以下、図面を参照しながら、本発明に係る遊技機の実施形態を、パチンコ遊技機を例にして説明する。
【００２１】
図示のパチンコ遊技機１は、木製の外枠４の前面に額縁状の前面枠２を開閉可能に取り付け、前面枠２の裏面に取り付けた遊技盤収納フレーム（図示せず）内に遊技盤３を装着し、この遊技盤３の表面に形成した遊技領域３ａを前面枠２の開口部に臨ませた構成を有する。上記遊技領域３ａは、遊技盤３の面上に配設した球誘導レール５（図３参照）で囲まれた領域からなる。この遊技領域３ａの前側に、透明ガラスを支持したガラス扉枠６が設けられている。
【００２２】
またパチンコ遊技機１は、ガラス扉枠６の下側に配設された前面操作パネル７を有している。前面操作パネル７には上受け皿ユニット８が設けられ、この上受け皿ユニット８には、排出された遊技球を貯留する上受け皿９が形成されている。前面操作パネル７には、球貸しボタン１１およびプリペイドカード排出ボタン１２（カード返却ボタン１２）が設けられている。また、上受け皿９の上皿表面部分には、内蔵ランプが点灯されて操作可能となり、その内蔵ランプ点灯時に押下することにより演出効果を変化させることができる押しボタン式の枠演出ボタン１３が設けられている。この上受け皿９には、上受け皿９に貯留された遊技球をパチンコ遊技機１の下方に抜くための球抜きボタン１４が設けられている。
【００２３】
また、前面操作パネル７の右端部側には、発射ユニットを作動させるための発射操作ハンドル１５が設けられている。また、前面枠２の上部の両側、発射操作ハンドル１５の上側には、効果音を発生するスピーカ４６が設けられている。またさらに、ガラス扉枠６の各所には、光の装飾により演出効果を現出する装飾ランプ４５が設けられている。
【００２４】
図２に示すように、パチンコ遊技機１の背面には、遊技盤収納フレームを覆って遊技盤３を裏側から押さえる枠体状の裏機構盤１６が取り付けられ、これにより遊技盤３と前面枠２とが一体化されている。この裏機構盤１６の上部の一側寄りには、パチンコホール側島設備の遊技球補給装置（図示せず）から供給される遊技球を貯留する遊技球貯留タンク１７が設けられている。また、遊技球貯留タンク１７から球を導出するタンクレール１８の傾斜下端に接続して、遊技球を払い出すための遊技球払出装置１９を設けてある。さらに、裏機構盤１６の上部の他側隅部には、パチンコホール全体の遊技機を統括的に管理する管理用コンピュータ（図示せず）に電気的に接続するための外部端子基板２１が端子基板ケース２２に収めて設けられている。
【００２５】
また、裏機構板１６の略中央には、遊技盤３の裏側に装着された透明の裏カバー２３が嵌合しており、この裏カバー２３内に、演出制御基板２４を収納した透明の演出制御基板ケース２４ａと、液晶制御基板２５を収納した透明の液晶制御基板ケース２５ａとが設けられている。演出制御基板ケース２４ａの下方には、内部に主制御基板２７を収納した透明な主制御基板ケース２６が設けられている。
【００２６】
さらに主制御基板ケース２６の下方には、払出制御基板２９を収めた透明な払出制御基板ケース２８が設けてあると共に、電源基板３１を収めた透明な電源基板ケース３０が配設されている。さらにまた、発射操作ハンドル１５に対応する位置には、遊技球を打撃する打撃槌やこれを駆動する発射モータを備えた遊技球発射装置（図示せず）の後側に発射制御基板３３が設けられている。
【００２７】
次に、遊技盤３の遊技領域３ａについて説明する。図３に示すように、遊技盤３の略中央部には、３つ（左、中、右）の表示エリアにおいて、独立して数字やキャラクタや記号などによる図柄（装飾図柄）の変動表示が可能である画像表示装置としての液晶表示装置３６（ＬＣＤ：Ｌｉｑｕｉｄ  Ｃｒｙｓｔａｌ  Ｄｉｓｐｌａｙ）が配設されている。この液晶表示装置３６の真下には、第１の特別図柄始動口である上始動口３４と、第２の特別図柄始動口である下始動口３５とが上下に配設され、それぞれの内部には、入賞球を検出する特別図柄始動口センサが設けられている。下始動口３５には、左右一対の可動翼片４７が下始動口３５を開閉可能に設けられ、いわゆるチューリップ型の電動役物（普通変動入賞装置４１）を構成している。
【００２８】
上始動口３４より上左側には、ゲートからなる普通図柄始動口３７が配設されており、通過する遊技球を検出する普通図柄始動口センサが配設されている。
【００２９】
上記下始動口３５の下方には、大入賞口４０を開閉する開放扉４２ｂで開閉可能に構成した特別変動入賞装置４２が配設され、その内部には、入賞球を検出する大入賞口センサが配設されている。
【００３０】
特別変動入賞装置４２の両側に一般入賞口４３が計４つ配設されており、それぞれ内部には、遊技球の通過を検出する一般入賞口センサが形成されている。各入賞口に入賞しなかった遊技球は、アウト口４９を介して遊技領域３ａから排出される。
【００３１】
また、遊技領域３ａの右上縁付近には、７セグを３桁に並べて構成される特別図柄表示装置３８と、２個のＬＥＤからなる普通図柄表示装置３９が設けられている。さらに、遊技領域３ａには、センター飾り４８、遊技球の落下方向変換部材としての風車４４や複数の遊技釘（図示せず）、複数の発光装置（ランプ、ＬＥＤ等：図示せず）などが配設されている。さらに遊技盤３の両側端部近傍にも、装飾ランプ４５などのランプ表示装置やＬＥＤ装置が配設されている。
【００３２】
遊技球が上始動口３４または下始動口３５に入賞したことに基づき、主制御基板２７において乱数抽選による大当りに関する抽選（大当り抽選）が行なわれる。この抽選結果に応じて特別図柄を特別図柄表示装置３８に変動表示させて、特別図柄変動表示ゲーム（図柄遊技）を開始し、一定時間経過後に、その結果を特別図柄表示装置３８に表示するようになっている。このとき、上記特別図柄変動表示ゲームに連動する形態で、装飾図柄を液晶表示装置３６に変動表示させて、装飾図柄変動表示ゲームを開始し、上記一定時間経過後に、特別図柄表示装置３８に抽選結果が表示されると共に、液晶表示装置３６にも装飾図柄によりその結果が表示される。
【００３３】
したがって、特別図柄表示装置３８での特別図柄変動表示ゲームの結果が「大当り」であった場合、この液晶表示装置３６の装飾図柄変動表示ゲームの結果も「大当り」を反映させた演出が現出される。また、特別図柄表示装置３８には、大当りを示す特別図柄が所定の表示態様（たとえば、２個の７セグが全て「７」の表示状態）で停止表示され、液晶表示装置３６には、「左」「中」「右」の各表示エリアにおいて、当り有効ライン上で装飾図柄が上記大当り抽選結果を反映させた所定の表示態様（たとえば、「左」「中」「右」の各表示エリアにおいて、３個の装飾図柄が「７」「７」「７」の表示状態）で停止表示される。
【００３４】
そして、この大当りとなった場合には、特別変動入賞装置ソレノイドが作動して開放扉４２ｂが開き、これにより大入賞口４０が所定パターンで開閉制御されて、通常遊技状態よりも遊技者に有利な特別遊技状態（大当り遊技）が発生する。この大当り遊技では、開放扉４２ｂが所定時間（たとえば、２９秒）開放して大入賞口４０が開放されるか、または所定個数（たとえば、９個）の遊技球が入賞するまで大入賞口４０が開放され、その後、所定時間（たとえば、２秒）開放扉４２ｂが閉まって大入賞口４０を閉鎖する、といった動作（ラウンド遊技）が所定回数（たとえば、最大１５回（最大１５Ｒ（ラウンド））繰り返されるようになっている。
【００３５】
＜主制御基板＞
図４は、主制御基板２７の片面（裏面側）の概略を示す。図４に示すように、主制御基板２７は矩形状のプリント配線基板からなり、その絶縁基板５０の片面（表面側）には、中央寄りの部分にワンチップマイクロコンピュータ（ワンチップマイコン）を構成するＣＰＵ、ＲＯＭ、ＲＡＭ等の種々の電子部品７１〜７３が配置され、また外縁部近傍には、図示してないハーネスの接続用コネクタが差し込まれる被接続用コネクタ６０が実装されている。また主制御基板２７の他の片面（裏面側）には、上記コネクタ６０の端子から複数本の配線パターン５１〜５５が配設されているとともに、その周囲にグラウンド用の配線パターン（グラウンドパターン）５６が配設されている。
【００３６】
上記コネクタ６０には、省スペース化などの見地から、複数の導電端子６１を２列に配置したコネクタを用いる。導電端子を２列（デュアル）配置にすることによりコネクタの全長寸法が約１／２になるなどの利点があるためである。本実施形態の場合、コネクタ６０は、２列に等間隔で配置された合計１８本の端子６１を有し、これらの端子６１は絶縁基板５０に設けられたスルーホール（図示せず）を通して裏面側に突出している。２列に配置された合計１８本の端子６１は、図５に拡大して示すように、裏面側から見て、基板縁に近い方の左側列が奇数番号１〜１７の端子列、そして右側が偶数番号２〜１８の端子列となっている。
【００３７】
（右側の端子列：図４〜図７）
まず、コネクタ６０の計１８本の端子６１のうちの右側列について説明する。右側列中の最上位の１８番の端子は、右側のグラウンドパターン５６に接続されている。
【００３８】
上記１８番の端子の下側に位置する列方向に相隣る同一電源用の２つの端子、つまり右側列中の１６番と１４番の２つの端子は、ハーネスの同じ電源を供給する複数本（ここでは２本）の配線に１対１の関係で接続される端子であり、この２つの端子には、１本の電源供給用の配線パターン（電源パターン）５１の一端が共通に接続されている。この電源パターン５１は、１６番および１４番の２つの端子６１から共通に、列方向と直交する外側方向である右側に引き出された後、配線基板５０の裏面上に所定の配線幅Ｗで延設され、途中で２つの分岐パターンに分岐し、一方の分岐パターン（枝路）５１ａは電子部品７１まで延在して終端しており、また他方の分岐パターン（枝路）５１ｂは電子部品７２まで延在して終端している。
【００３９】
コネクタ６０の２列配置の端子６１のうちの２本から電源パターン５１を共通に引き出す形態としては、上記の形態の他に、左右の列間で向き合う端子同士の２本から、当該２本の端子を結ぶ方向に、電源パターン５１を共通に引き出す形態もある。しかし、本発明ではこの形態を採用せず、図４に示すように、列方向に相隣る２つの端子から、その列方向と直交する方向に、電源パターン５１を引き出す形態とする。この形態とすることにより、前者に比べ幅の広い電源パターン５１を、２本の端子から共通に引き出すことが可能になる。
【００４０】
電源パターン５１の配線幅Ｗは、図６に示すように、電源端子６１の部分でも隣のグラウンド端子と接触しない幅であること、すなわち端子間ピッチＰの２倍（Ｗ＝２Ｐ）に至らないことを条件として、端子６１の直径ｄの２個分以上の配線幅Ｗを有している。
【００４１】
この実施形態の場合、電源パターン５１は、１６番および１４番の端子に接続されている部分が幅広のパターン基端部５１０として形成されている。このパターン基端部５１０は、１６番端子に対する円形パッド５１０ａと、１４番端子に対する円形パッド５１０ｂと、これらに共通に引き出した共通部分５１０ｃとから構成されている。そして、電源パターン５１の配線幅Ｗは、このパターン基端部５１０においては、円形パッド５１０ａの直径と円形パッド５１０ｂの直径と、そして両パッド間の隙間５１０ｄの間隔とを、列方向に加算した寸法の幅（第１幅Ｗ１）になっており、パターン基端部５１０はパッド状に形成されている。そして、パターン基端部５１０から後のパターン部分、つまりコネクタ６０の領域を出た直後から右側のパターン本体部５１１は、端子６１の直径のほぼ２倍の幅（第２幅Ｗ２）で形成され、その配線幅Ｗが第１幅Ｗ１より狭い幅に縮小されている。
【００４２】
このように電源パターン５１は、１４番および１６番の２つの端子６１から共通に第１幅Ｗ１で列方向と直交する外側方向（図５の右側）に引き出され、コネクタ６０の領域を出た直後から端子６１の直径のほぼ２倍の第２幅Ｗ２で配線基板５０の裏面上に延設され、以後同じ第２幅Ｗ２を保って分岐パターン５１ａと分岐パターン５１ｂに分岐し、それぞれ電子部品７１と電子部品７２まで延在して終端している。
【００４３】
本実施形態の場合、図４の配線パターン５１〜５６は、図７に一部を示す電源基板インターフェース回路の構成要素であり、電源パターン５１はＤＣ５Ｖの電源供給用の配線ラインとして働くようになっている。また電源パターン５２〜５４およびグラウンドパターン５６は、図７に示す電源基板インターフェース回路のＤＣ３２Ｖ、ＶＢＢ、ＤＣ１２Ｖ、電源異常信号、およびグラウンド（ＧＮＤ）用の配線ラインとして働くようになっている。
【００４４】
図４に戻り、コネクタ６０の計１８本の端子６１のうち、右側列中の上記１６番と１４番の端子対の下側に位置する１２番の端子は、右側のグラウンドパターン５６に接続されている。その下側の列方向に相隣る同一電源用の２つの端子、つまり右側列中の１０番と８番の端子は、ハーネスの同じ電源を供給する複数本（ここでは２本）の配線に１対１の関係で接続される端子であり、この２つの端子からは、共通に１本のＶＢＢ電源供給用の配線パターン（電源パターン）５３が引き出され、図示してない電子部品に至るまで延在されている。この電源パターン５３は、電源パターン５１の場合と同様に、１０番と８番の２つの端子６１から共通に第１幅Ｗ１で、列方向と直交する外側方向である右側に引き出され、コネクタ６０の領域を出た直後から端子６１の直径ｄのほぼ２倍の第２幅Ｗ２で配線基板５０の裏面上に延設され、以後同じ第２幅Ｗ２を保って図示してない電子部品まで延在されている。
【００４５】
またコネクタ６０の２列配置の端子６１のうち、右側列中の上記１０番と８番の端子対の下側に位置する６番の端子は、右側のグラウンドパターン５６に接続されている。その下側の１つの端子、つまり右側列中の４番の端子からは、上記電源パターン５１よりも細い１本の電源異常信号用の配線パターン（信号線パターン）５５が、列方向と直交する外側方向である右側に引き出され、図示してない電子部品に至るまで延在されている。そして上記４番の端子の下側に位置する２番の端子、すなわち右側列中の最下位の端子は、右側のグラウンドパターン５６に接続されている。
【００４６】
（左側の端子列：図４〜図５）
次に、コネクタ６０の計１８本の端子６１の左側列について説明する。
【００４７】
まず、その左側列中の最上位の１７番の端子は、左側のグラウンドパターン５６に接続されていると共に、ワイヤ接続体からなる導電体６２で右側列の１８番の端子とも接続されている。また、この１７番の端子の下側に位置する１５番の端子は、左側に存在するグラウンドパターン５６に接続されている。そして、この１５番の端子の下側に位置する１３番の端子からは、１本のＤＣ３２Ｖ電源供給用の配線パターン（電源パターン）５２が、列方向と直交する外側方向である左側に引き出され、途中で方向を変えつつ、図示してない電子部品まで延設されている。本実施形態の場合、この電源パターン５２の幅も上記第２幅Ｗ２に定められている。
【００４８】
上記１３番の端子の下側に位置する１１番と９番の２つの端子は、左側のグラウンドパターン５６に接続されるグラウンド端子となっている。このうち上側の１１番の端子は、ワイヤ接続体からなる導電体６３を介して右側列の１２番の端子とも接続されている。
【００４９】
この１１番と９番のグラウンド端子の下側に位置して列方向に相隣る２つの端子、つまり左側列中の７番と５番の端子は、ハーネスの同じ電源を供給する複数本（ここでは２本）の配線に１対１の関係で接続される同一電源用の端子であり、この２つの端子には、両端子に共通の１本のＤＣ１２Ｖ電源供給用の配線パターン（電源パターン）５４が接続されている。この電源パターン５４は端子の列方向と直交する外側方向である左側に引き出されており、その直後に下方に屈曲されて延在している。この電源パターン５４の配線幅Ｗも、電源パターン５１の場合と同様に、７番と５番の２つの端子６１に接続されたパターン基端部５４１では第１幅Ｗ１に形成され、そして７番と５番の２つの端子６１から引き出されたパターン基端部５４１から後のパターン部分、つまりコネクタ６０の領域を出た直後から下側に向かうパターン本体部５４２では、第１幅Ｗ１より狭い第２幅Ｗ２に縮小されている。
【００５０】
電源パターン５１ではその全部（全長）が配線基板５０の裏面上に延設されていたが、この電源パターン５４では、その一部であるパターン本体部５４２だけが配線基板５０の裏面上に延設され、残りは配線基板５０の表面上に延設されている。すなわち、この電源パターン５４は、その途中のパターン本体部５４２の端部で、裏面側から図示してないスルーホールを通して、表面側の電源パターン部分５４ａに電気的に接続されて引き継がれる。そして、この電源パターン５４の幅は、パターン本体部５４２が端子６１の直径のほぼ２倍の第２幅Ｗ２で配線基板５０の裏面上に延設され、これ以後の電源パターン部分５４ａも同じ第２幅Ｗ２を保って電子部品７３まで延在される。
【００５１】
また、左側列において上記７番と５番の電源端子の下側に位置する３番の端子は、右側列の６番の端子に、ワイヤ接続体からなる導電体６４により接続されている。同時に、この左側列の３番の端子は、その下側の１番の端子に、ワイヤ接続体からなる導電体６５により接続されており、この下側の１番の端子はグラウンドパターン５６に接続されている。また、左側列の１番の端子は、グラウンドパターン５６に接続された右側列の２番の端子に、ワイヤ接続体からなる導電体６６により接続されている。したがって右側列の６番、左側列の３番、左側列の１番および右側列の２番の各端子相互間が、順次にワイヤ接続体からなる導電体６４〜６６により接続されている。
【００５２】
（配線幅とグラウンドの作用）
このように電源パターン５１、５３、５４は、それぞれ端子列中の相隣る２つの端子を接続対象とし、この接続対象の端子対（端子番号１６と１４の対、１０と８の対、７と５の対）から、それぞれ端子６１の直径の２倍以上の配線幅Ｗ（第１幅Ｗ１、第２幅Ｗ２）で、電源の供給先である電子部品まで延設される。ただし、これらの電源パターン５１、５３、５４の配線幅Ｗは、２つの電源端子から共通に１つのパターンを引き出す際に、電源端子の部分では当該２つの電源端子の隣の端子と接触しない幅であることが必要である。したがって、電源パターン５１、５３、５４の配線幅Ｗは、端子間ピッチＰの２倍に至らないことを限度として、端子６１の直径の２倍以上の幅に定められる。
【００５３】
一方、ハーネスは、図示していないが、シールド被覆が施されていない多数本の配線（ここでは１８本）からなる配線束と、その両端に取り付けた接続用コネクタとで構成され、その接続用コネクタの一方を制御基板２７に設けた上記被接続用コネクタ６０に差し込むことで、制御基板２７上の配線パターン５１〜５６と電気的に接続される。なお、接続用コネクタの他方は電源基板３１の被接続用コネクタ（図示せず）に差し込まれる。そして、上記コネクタ６０の上記端子番号１６と１４の対、１０と８の対、７と５の対に対応する各２本の配線と、端子番号１〜３、６、９、１１〜１２、１５、１７〜１８の各グラウンド（ＧＮＤ）端子に対応する配線とによって、ＤＣ５Ｖ、ＶＢＢ、ＤＣ１２Ｖが供給される。
【００５４】
これらの電源供給路は、ハーネス部分では、複数本（たとえば２本）の配線によって同じ１つの給電路（往路）が形成され、制御基板２７上では、コネクタ６０の端子の直径の２倍以上の配線幅Ｗ（第１幅Ｗ１、第２幅Ｗ２）を持つ電源パターン５１、５３、５４によって所定の電子部品までの給電路（往路）が形成されている。また、これらの給電路の帰路は、ハーネス部分では、端子番号１〜３、６、９、１１〜１２、１５、１７〜１８の各グラウンド（ＧＮＤ）端子に対応する複数本の配線によって構成され、制御基板２７上では、これらの端子に接続されているグランドパターン５６によって構成される。
【００５５】
このため給電先の全ての電子部品において必要とされる定格値を十分にカバーする大きな電流を、ハーネスの配線を通して制御基板２７に流し、所定の直流電源を供給すことができる。このためハーネスのシールド被覆が施されていない配線部が、制御基板２７と他の基板を接続するために遊技機内を引き回された場合でも、賞球や貸球の払い出しなどにより生じた静電ノイズや電子ライターなどからの外部ノイズが、電源ラインに乗りにくくなる。したがってハーネスを介して静電ノイズおよび外部ノイズが制御基板内に持ち来される可能性を小さくし、ハーネスの配線を通して制御基板２７の電子部品が静電ノイズおよび外部ノイズの影響を受ける度合を低減することができる。
【００５６】
またグラウンド端子については、次のように配置に工夫がなされている。
【００５７】
まずコネクタ６０の右側の端子列は、列方向に相隣る関係で端子番号１６と１４の同一電源用の電源端子の組（第１組）と、端子番号１０と８の同一電源用の電源端子の組（第２組）とを含み、その第１組と第２組の電源端子の組同士間には、１２番のグラウンド端子が配置されている。そして、この第１組と第２組の電源端子の全体に対して、その列方向外側（図５の上側と下側）には、上側に１８番のグラウンド端子が、また下側に６番のグラウンド端子が配置されている。また、コネクタ６０の左側の端子列は、列方向に相隣る関係で端子番号１３の電源端子の組（第３組）と、端子番号７と５の同一電源用の電源端子の組（第４組）とを含み、その各組の電源端子対同士の間には１１番と９番のグラウンド端子が配置されている。そして、この第３組の電源端子と第４組の電源端子の全体に対して、その列方向外側には、上側に１５番のグラウンド端子が、また下側に３番のグラウンド端子が配置されている。したがって、これら第１組から第４組の電源端子は、その端子配列方向に見て、それぞれ電源端子の組が、その両側からグランド端子で挟まれた形になっている。
【００５８】
さらにまた、右側列と左側列の端子間の隙間（図５の左右方向の隙間）については、この隙間に介在する形で、次のように、ワイヤ接続体からなる導電体６２〜６４が設けられ、それぞれグラウンドパターン５６に接続されている。
【００５９】
まず列相互間方向に隣り合う第１組の電源端子（端子番号１６と１４）および第３組の電源端子（端子番号１３）からなる上側電源端子群と、列相互間の方向に隣り合う第２組の電源端子（端子番号１０と８）および第４組の電源端子（端子番号７と５）からなる下側電源端子群とに大別して見た場合、上側電源端子群の上側においては、右側列の端子番号１８と左側列の端子番号１７のグラウンド端子間を接続する形でワイヤ接続体からなる導電体６２が存在している。また、この上側電源端子群と下側電源端子群との間においては、右側列の１２番の電源端子と左側列の１１番の電源端子を結ぶ形でワイヤ接続体からなる導電体６３が存在している。そして、下側電源端子群の下側においては、右側列の端子番号６と左側列の端子番号３のグラウンド端子間を接続する形でワイヤ接続体からなる導電体６４が存在している。そして、これらの導電体６２〜６４はそれぞれグラウンドパターン５６に接続されている。
【００６０】
このため、上記４つの電源パターン５１〜５４の周囲がグラウンドパターン５６によって囲まれているだけでなく、これが引き出されている電源端子対または電源端子（端子番号１６と１４、端子番号１０と８、端子番号１３、端子番号７と５）の部分においても、その同じ端子列中における両側がグラウンド端子（右列では端子番号１８、１２、６または左列では端子番号１５、１１、９、３の端子）によって囲まれていると共に、さらに右側と左側の端子列間の隙間においても、上記上側電源端子群（端子番号１６、１４、１３）と下側電源端子群（端子番号１０、８、７、５）が導電体６２〜６４によって囲まれていて、それぞれ接地電位になっている。このため、電源パターン相互間、列方向端子間および左右列間端子間（列間隙間）における電位の相違などの電気的影響が除去される。
【００６１】
また、電源異常信号用の信号線パターン５５が引き出されている４番の端子（信号端子）については、その周囲の右側列の６番、左側列の３番、左側列の１番および右側列の２番の各端子相互間が、順次にワイヤ接続体からなる導電体６４〜６６により接続され、これにより信号端子の周囲が、信号線パターン５５の引出部を除き、接地電位の導電体６４〜６６により取り囲まれている形となっている。このため電源異常信号に他の電源端子からのノイズが乗るなどの影響を受けない構成となっている。
【００６２】
＜変形例１：図８＞
この実施形態の場合、電源パターン５１のパターン基端部５１０は、図８（ａ）に示すように、１６番端子に対する円形パッド５１０ａと、１４番端子に対する円形パッド５１０ｂと、これらに共通に引き出した共通部分５１０ｃとを有し、両円形パッド５１０ａと５１０ｂ間の隙間５１０ｄは、端子６１のほぼ半径程度の深さで形成され、それ以降の部分は共通部分５１０ｃとして形成されている。すなわち隙間５１０ｄの部分が共通部分５１０ｃの端子側辺５１０ｅに付けられた「くびれ」となるような形状となっている。
【００６３】
しかしパターン基端部５１０の形状は、図８（ｂ）に示すように、両円形パッド５１０ａと５１０ｂ間の隙間５１０ｄを、端子６１の直径を超えてコネクタ６０の領域外まで延在する深さで形成することもできる。これは、１６番端子から個別に引き出された引き出しパターン５１０ｆと、１４番端子から個別に引き出された引き出しパターン５１０ｇとを、コネクタ６０の領域外で合流させて共通部分５１０ｃとした構成である。この構成の場合でも引き出しパターン５１０ｆと５１０ｇの列方向幅の和は端子２個分以上の幅Ｗとなっており、また共通部分５１０ｃの配線幅Ｗ１やパターン本体部５１１の配線幅Ｗ２も端子２個分以上の幅Ｗとなっている。
【００６４】
またパターン基端部５１０の形状は、図８（ｃ）に示すように、両円形パッド５１０ａと５１０ｂ間の隙間５１０ｄを無くし、その端子側辺５１０ｅを平坦な縁として形成することもできる。この構成の場合も、共通部分５１０ｃの配線幅Ｗ１やパターン本体部５１１の配線幅Ｗ２は端子２個分以上の幅Ｗとなっている。
【００６５】
他の電源パターン５３や５４についても、上記した図８（ｂ）や（ｃ）で説明したような形状にすることができる。
【００６６】
＜変形例２：図９＞
上記実施形態では、右側列と左側列の端子間（左右列間端子間）のグラウンド接続に関し、右側列の１２番の端子と左側列の１１番の端子間をワイヤ接続体からなる導電体６３により接続し、そして、右側列の６番の端子と左側列の３番の端子間、左側列の３番の端子と左側列の１番の端子間、左側列の１番の端子と右側列の２番の端子間を、それぞれワイヤ接続体からなる導電体６４、６５、６６により接続した。
【００６７】
しかし、左右列間端子間のグラウンド接続に関しては、一方の列中の電源端子の組同士間のグラウンド端子と他方の列中のグラウンド端子にかけてグラウンドパターンを延在させ、両列のグラウンド端子から共通にグラウンドパターンを引き出す形態とすることもできる。たとえば図９に示すように、右側列の１２番端子と左側列の１１番端子の間を、ワイヤ接続体からなる導電体６３の代わりにグラウンドパターン５６ａにより接続し、そして、右側列の６番端子と左側列の３番端子の間、左側列の３番端子と左側列の１番端子の間、左側列の１番端子と右側列の２番端子の間について、それぞれワイヤ接続体からなる導電体６４、６５、６６により接続する代わりに、グラウンドパターン５６ａにより、これらのグラウンド端子（端子番号１、２、３、６）を共通に接続する形態とすることができる。このようにグラウンドパターン５６ａにより４番の信号端子の周囲を囲む形態にすることにより、電源異常信号に他の電源端子からのノイズが乗るなどの影響を受けない構成を得ることが可能である。
【００６８】
＜変形例３：図１０〜図１１＞
上記実施形態では、電子部品へ電源を供給する電源パターン５１〜５４にパターン基端部を設け、そのパターン基端部を出た後のパターン本体部５１１、５４２について、配線幅Ｗをほぼ端子２個分の一定幅に保って全ての電子部品７１〜７３まで延在させた。
【００６９】
しかし、電源パターン５１〜５４はパターン基端部を設けないで、端子２個分以上の一定幅で端子の部分から引き出し、その幅を維持して目的地まで引き回してもよい。たとえば図１０に示すように、列方向に相隣る２つの端子６１から、共通に電源パターン５１を端子２個分以上の一定幅Ｗ１で引き出し、これから順に分岐パターン５１ａ、５１ｃ、５１ｅを電子部品７１〜７３に延在させてもよい。図１０の例では、電子部品７１および７２の消費電力が大きいため、分岐パターン５１ａ、５１ｃについてはほぼ端子２個分の幅Ｗ１としているが、電子部品７３は消費電力が小さいため、これに対応する分岐パターン５１ｅは、分岐パターン５１ａ、５１ｃより狭い幅に形成されている。
【００７０】
またパターンは、電子部品の少なくとも１個に至るまでの電源パターン幅が、端子２個分以上の幅に形成されていればよく、これにより本発明所期の効果を得ることができる。たとえば最寄りの電子部品７１までの電源パターン（パターン本体部５１１および分岐パターン５１ａ）について、その幅を端子２個分以上の幅Ｗとすることにより、本発明所期の効果を得ることができる。
【００７１】
また遠い電子部品への給電になるに従って、順次に幅の狭いパターンとすることもできる。図１１はこの形態を、電源パターン５１を例にして示したもので、電源パターン５１の配線幅Ｗは、最寄りの電子部品７１までのパターン本体部５１１および分岐パターン５１ａではほぼ端子２個分の幅Ｗ１とされている。そして、このパターン本体部５１１からの分岐パターン５１ｂおよびこの分岐パターン５１ｂからの分岐パターン５１ｃについては、幅Ｗ１より少し小さい幅Ｗ２の配線幅とし、そして分岐パターン５１ｂからの分岐パターン５１ｄおよび５１ｅについてはさらに少し小さい幅Ｗ３の配線幅としている。したがって、最寄りの電子部品７１から、その次の電子部品７２、および最も遠い電子部品７３まで、順次に幅の狭いパターンとなっている。
【００７２】
＜他の変形例＞
上記実施形態では、同じ端子列中に列方向に相隣る２つの端子に着目し、この２つの端子から共通の一つの電源パターンを引き出す構成について説明した。しかし、同じ端子列中に列方向に相隣る３つ以上の端子に着目し、これらの一群の端子から共通の一つの電源パターンを引き出す構成とすることもできる。
【００７３】
また上記実施形態では、コネクタの２列配置の端子に関し、その右側列中に、列方向に相隣る２つの電源端子からなる電源端子の組を２組（端子番号１６と１４の第１組、端子番号１０と８の第２組）含み、そして左側列中に、列方向に相隣る２つの電源端子からなる電源端子の組を２組（端子番号１３の第３組、端子番号７と５の第４組）含む形態とし、それぞれの列中の電源端子の組同士の間（第１組と第２組の間、および第３組と第４組の間）にグラウンド端子を備え、それぞれの列中の電源端子の組同士間のグラウンド端子から、これらに共通にグラウンドパターンを引き出す構成とした。しかし、コネクタの２列配置の端子に関し、その一方の列中に、列方向に相隣る複数の電源端子からなる電源端子の組を少なくとも２組（たとえば端子番号１６と１４の第１組、端子番号１０と８の第２組）含み、その電源端子の組同士の間にグラウンド端子（たとえば右側列の１２番端子）を備え、また他方の列中にグラウンド端子（たとえば右側列の１２番端子に対応する左側列の１１番端子）を備え、上記一方の列中の電源端子の組同士間のグラウンド端子（右側列の１２番端子）と前記他方の列中のグラウンド端子（左側列の１１番端子）とから、これらに共通にグラウンドパターンが引き出す形態とすることで、上記の左右列間端子間（列間隙間）における電位の相違などの電気的影響を除去する効果を得ることも可能である。
【００７４】
また上記実施形態では、導電体６２〜６４をワイヤ接続体により構成したが、ワイヤを用いずに半田のみにより導電体６２〜６４を構成することもできる。
【産業上の利用可能性】
【００７５】
本発明は、弾球遊技機や回胴式遊技機などの遊技機、特に複数の端子を２列に配置したコネクタが実装されている制御基板を有する遊技機に適用することができる。
【符号の説明】
【００７６】
１      パチンコ遊技機、
２      前面枠、
３      遊技盤、
４      外枠、
５      球誘導レール、
６      ガラス扉枠、
７      前面操作パネル、
８      上受け皿ユニット、
９      上受け皿、
１１      球貸しボタン、
１２      カード返却ボタン、
１３      枠演出ボタン、
１４      球抜きボタン、
１５      発射操作ハンドル、
１６      裏機構盤、
１７      遊技球貯留タンク、
１８      タンクレール、
１９      遊技球払出装置、
２１      外部端子基板、
２２      端子基板ケース、
２３      裏カバー、
２４      演出制御基板、
２５      液晶制御基板、
２６      主制御基板ケース、
２７      主制御基板、
２８      払出制御基板ケース、
２９      払出制御基板、
３０      電源基板ケース、
３１      電源基板、
３３      発射制御基板、
３４      上始動口、
３５      下始動口、
３６      液晶表示装置、
３７      普通図柄始動口、
３８      特別図柄表示装置、
３９      普通図柄表示装置、
４０      大入賞口、
４１      普通変動入賞装置、
４２      特別変動入賞装置、
４３      一般入賞口、
４４      風車、
４５      装飾ランプ、
４６      スピーカ、
４７      可動翼片、
４８      センター飾り、
４９      アウト口、
５０      絶縁基板、
５１〜５４    電源パターン、
５４ａ    表面側の電源パターン部分
５６      信号線パターン、
６０      コネクタ、
６１      端子、
６２〜６６    導電体、
７１〜７３    電子部品、
５１０    パターン基端部、
５１０ａ、５１０ｂ    円形パッド、
５１０ｃ    共通部分、
５１０ｄ    パッド間の隙間、
５１０ｅ    端子側辺、
５１０ｆ、５１０ｇ    引き出しパターン、
５１１    パターン本体部、
５４１    パターン基端部、
５４２    パターン本体部。
【図１】
0005469712.tif 000002
【図２】
0005469712.tif 000003
【図３】
0005469712.tif 000004
【図４】
0005469712.tif 000005
【図５】
0005469712.tif 000006
【図６】
0005469712.tif 000007
【図７】
0005469712.tif 000008
【図８】
0005469712.tif 000009
【図９】
0005469712.tif 000010
【図１０】
0005469712.tif 000011
【図１１】
0005469712.tif 000012